(57)【要約】      （修正有）【課題】薬剤師や登録販売者等の有資格者でなくても、簡便且つ安全で確実に購入希望者に販売することができるＯＴＣ医薬品販売承認システムを提供する。【解決手段】ＯＴＣ医薬品購入希望者が有するＯＴＣ医薬品の購入履歴情報を記憶した記憶媒体から、前記購入履歴情報を読み取り記憶する手段、前記購入希望者が購入を希望するＯＴＣ医薬品情報を入力する手段、前記入力手段から入力したＯＴＣ医薬品情報を記憶する手段、前記記憶されたＯＴＣ医薬品の購入履歴情報と、前記記憶された購入を希望するＯＴＣ医薬品情報とを照合し、販売可能か否かを判別する手段を含む。【選択図】図２
2015087951.tif 000002
【特許請求の範囲】
【請求項１】
ＯＴＣ医薬品購入希望者が有するＯＴＣ医薬品の購入履歴情報を記憶した記憶媒体から、前記購入履歴情報を読み取り記憶する手段、
前記購入希望者が購入を希望するＯＴＣ医薬品情報を入力する手段、
前記入力手段から入力したＯＴＣ医薬品情報を記憶する手段、
前記記憶されたＯＴＣ医薬品の購入履歴情報と、前記記憶された購入を希望するＯＴＣ医薬品情報とを照合し、販売可能か否かを判別する手段
を含む、ＯＴＣ医薬品の販売承認システム。
【請求項２】
ＯＴＣ医薬品購入希望者が過去に購入したＯＴＣ医薬品情報を購入履歴として記憶媒体に記憶する手段
を更に含む、請求項１に記載のＯＴＣ医薬品の販売承認システム。
【請求項３】
ＯＴＣ医薬品購入希望者が過去に購入したＯＴＣ医薬品情報を購入履歴として記憶媒体に記憶する手段、
ＯＴＣ医薬品購入希望者が有するＯＴＣ医薬品の購入履歴情報を記憶した前記記憶媒体から、前記購入履歴情報を読み取り記憶する手段、
前記記憶された、過去に購入したＯＴＣ医薬品が、予め設定した医薬品分類のいずれに該当するかを決定する手段、
前記購入希望者が購入を希望するＯＴＣ医薬品情報を入力する手段、
前記入力手段から入力したＯＴＣ医薬品情報を記憶する手段、
前記記憶された、購入を希望するＯＴＣ医薬品が、予め設定した医薬品分類のいずれに該当するかを決定する手段、
前記記憶されたＯＴＣ医薬品の購入履歴情報、及び／又は、前記決定した、過去に購入したＯＴＣ医薬品の医薬品分類と、前記記憶された購入を希望するＯＴＣ医薬品情報、及び／又は、前記決定した、購入を希望するＯＴＣ医薬品の医薬品分類とを照合し、販売可能か否かを判別する手段
を含む、ＯＴＣ医薬品の販売承認システム。
【請求項４】
ＯＴＣ医薬品購入希望者が有するＯＴＣ医薬品の購入履歴情報を記憶した記憶媒体から、読み取り記憶手段により、前記購入履歴情報を読み取り記憶する工程、
前記購入希望者が購入を希望するＯＴＣ医薬品情報を、入力手段により入力する工程、
前記入力工程において入力したＯＴＣ医薬品情報を記憶手段に記憶する工程、
販売可否判別手段が、前記記憶されたＯＴＣ医薬品の購入履歴情報と、前記記憶された購入を希望するＯＴＣ医薬品情報とを照合し、販売可能か否かを判別する工程
を含む、ＯＴＣ医薬品の販売承認方法。
【請求項５】
記憶手段により、ＯＴＣ医薬品購入希望者が過去に購入したＯＴＣ医薬品情報を購入履歴として記憶媒体に事前に記憶する工程
を更に含む、請求項４に記載のＯＴＣ医薬品の販売承認方法。
【請求項６】
記憶手段により、ＯＴＣ医薬品購入希望者が過去に購入したＯＴＣ医薬品情報を購入履歴として記憶媒体に事前に記憶する工程、
前記購入希望者が有するＯＴＣ医薬品の購入履歴情報を記憶した前記記憶媒体から、読み取り記憶手段により、前記購入履歴情報を読み取り記憶する工程、
前記記憶された、過去に購入したＯＴＣ医薬品が、予め設定した医薬品分類のいずれに該当するかを、医薬品分類決定手段により、決定する工程、
前記購入希望者が購入を希望するＯＴＣ医薬品情報を、入力手段により入力する工程、
前記入力工程において入力したＯＴＣ医薬品情報を記憶手段に記憶する工程、
前記記憶された、購入を希望するＯＴＣ医薬品が、予め設定した医薬品分類のいずれに該当するかを、医薬品分類決定手段により、決定する工程、
販売可否判別手段が、前記記憶されたＯＴＣ医薬品の購入履歴情報、及び／又は、前記決定した、過去に購入したＯＴＣ医薬品の医薬品分類と、前記記憶された購入を希望するＯＴＣ医薬品情報、及び／又は、前記決定した、購入を希望するＯＴＣ医薬品の医薬品分類とを照合し、販売可能か否かを判別する工程
を含む、ＯＴＣ医薬品の販売承認方法。
【請求項７】
請求項１に記載のＯＴＣ医薬品の販売承認システムである、ＯＴＣ医薬品自動販売機。
【発明の詳細な説明】
【技術分野】
【０００１】
本発明は、ＯＴＣ医薬品販売承認システムに関する。
【背景技術】
【０００２】
現在、政府が推進している成長戦略では、既存の規制を緩和し、新たなビジネスを創設しようと試みている。その一つとして、ＯＴＣ医薬品販売の規制を緩和し、薬剤師不在のドラッグストアやコンビニエンスストアでのＯＴＣ医薬品の販売を可能にするものがある。その際、今までは薬剤師の登録が必須であったが、より簡易に取得できる登録販売者という資格保有者によるＯＴＣ医薬品の販売も可能になった。この販売登録者はＯＴＣ医薬品の知識と一定の経験により、取得することができる。
【０００３】
また、インターネットを利用するＯＴＣ医薬品の販売に関しても、規制が緩和される方向にあり、現在、厚生労働省の諮問機関により検討されている。しかしながら、インターネットの場合、購入者の情報を的確に得ることが非常に困難であり、有識者からは不安の声が上がっている。
従来、個人認証を簡便に行って規制品を購入可能な自動販売システムが開示されている（特許文献１、特許文献２）。しかし、必ずしも個人の特定を必要としないＯＴＣ医薬品の販売においては、反対に個人情報の管理が難しくなるだけで、販売者及び購入者にとってのメリットが不十分だと考えられる。
【先行技術文献】
【特許文献】
【０００４】
【特許文献１】特開２００９−１８１２８５号公報
【特許文献２】特開２０１３−２０６２３２号公報
【発明の概要】
【発明が解決しようとする課題】
【０００５】
購入希望者がコンビニエンスストアやインターネットでＯＴＣ医薬品を購入できることは、購入者の利便性を確実に向上すると思われる。しかしながら、購入の機会を増やすという意味では有益であるが、医薬品の必要な時、必要なＯＴＣ製品を手に入れるという観点では未だ不十分なサービスと言わざるを得ない。
具体的にはコンビニエンスストアの場合は、登録販売者が在籍時しかＯＴＣ医薬品を購入できないという時間的な制限がある。また、店舗の採算性を考えた場合、ある規模の店舗以上でないと登録販売者を採用できない等の問題がある。
また、インターネット販売の場合、ＯＴＣ医薬品を取り寄せる事となり、すぐに使用したいという購入希望者の要望には応えることができない。
【０００６】
現在、想定されているサービスが実際に対応できない事例により、課題を明確にする。
例えば、通勤時腹痛があり、胃腸薬が欲しいと考えた場合、早朝の通勤時の時間帯に開店している薬局、ドラッグストアは皆無である。また、キヨスクはその規模から、登録販売者を在籍させることは困難であると共に営業時間も制限される。インターネットでの購入はこのような緊急対応は想定外である。仮に薬局が開店していたとしても、駅の外にでる必要があり、時間的に制約がある中では困難であると思われる。
さらに現状のサービスで対応できていない例として、受験生が試験会場への移動中に体調不良になった場合を想定すれば、さらに課題解決が強く求められることが容易に推測される。
つまり、規制緩和が進みつつある現在、あるいは近未来においても、ＯＴＣ医薬品を携帯している以外に軽微な体調不良における処置方法はないというのが現状である。
本発明の課題は、薬剤師や登録販売者等の有資格者でなくても、簡便且つ安全で確実に購入希望者に販売することができるＯＴＣ医薬品販売承認システムを提供することにある。
【課題を解決するための手段】
【０００７】
前記課題は、本発明による、
［１］ＯＴＣ医薬品購入希望者が有するＯＴＣ医薬品の購入履歴情報を記憶した記憶媒体から、前記購入履歴情報を読み取り記憶する手段、
前記購入希望者が購入を希望するＯＴＣ医薬品情報を入力する手段、
前記入力手段から入力したＯＴＣ医薬品情報を記憶する手段、
前記記憶されたＯＴＣ医薬品の購入履歴情報と、前記記憶された購入を希望するＯＴＣ医薬品情報とを照合し、販売可能か否かを判別する手段
を含む、ＯＴＣ医薬品の販売承認システム、
［２］ＯＴＣ医薬品購入希望者が過去に購入したＯＴＣ医薬品情報を購入履歴として記憶媒体に記憶する手段
を更に含む、前記［１］のＯＴＣ医薬品の販売承認システム、
［３］ＯＴＣ医薬品購入希望者が過去に購入したＯＴＣ医薬品情報を購入履歴として記憶媒体に記憶する手段、
ＯＴＣ医薬品購入希望者が有するＯＴＣ医薬品の購入履歴情報を記憶した前記記憶媒体から、前記購入履歴情報を読み取り記憶する手段、
前記記憶された、過去に購入したＯＴＣ医薬品が、予め設定した医薬品分類のいずれに該当するかを決定する手段、
前記購入希望者が購入を希望するＯＴＣ医薬品情報を入力する手段、
前記入力手段から入力したＯＴＣ医薬品情報を記憶する手段、
前記記憶された、購入を希望するＯＴＣ医薬品が、予め設定した医薬品分類のいずれに該当するかを決定する手段、
前記記憶されたＯＴＣ医薬品の購入履歴情報、及び／又は、前記決定した、過去に購入したＯＴＣ医薬品の医薬品分類と、前記記憶された購入を希望するＯＴＣ医薬品情報、及び／又は、前記決定した、購入を希望するＯＴＣ医薬品の医薬品分類とを照合し、販売可能か否かを判別する手段
を含む、ＯＴＣ医薬品の販売承認システム、
［４］ＯＴＣ医薬品購入希望者が有するＯＴＣ医薬品の購入履歴情報を記憶した記憶媒体から、読み取り記憶手段により、前記購入履歴情報を読み取り記憶する工程、
前記購入希望者が購入を希望するＯＴＣ医薬品情報を、入力手段により入力する工程、
前記入力工程において入力したＯＴＣ医薬品情報を記憶手段に記憶する工程、
販売可否判別手段が、前記記憶されたＯＴＣ医薬品の購入履歴情報と、前記記憶された購入を希望するＯＴＣ医薬品情報とを照合し、販売可能か否かを判別する工程
を含む、ＯＴＣ医薬品の販売承認方法、
［５］記憶手段により、ＯＴＣ医薬品購入希望者が過去に購入したＯＴＣ医薬品情報を購入履歴として記憶媒体に事前に記憶する工程
を更に含む、前記［４］のＯＴＣ医薬品の販売承認方法、
［６］記憶手段により、ＯＴＣ医薬品購入希望者が過去に購入したＯＴＣ医薬品情報を購入履歴として記憶媒体に事前に記憶する工程、
前記購入希望者が有するＯＴＣ医薬品の購入履歴情報を記憶した前記記憶媒体から、読み取り記憶手段により、前記購入履歴情報を読み取り記憶する工程、
前記記憶された、過去に購入したＯＴＣ医薬品が、予め設定した医薬品分類のいずれに該当するかを、医薬品分類決定手段により、決定する工程、
前記購入希望者が購入を希望するＯＴＣ医薬品情報を、入力手段により入力する工程、
前記入力工程において入力したＯＴＣ医薬品情報を記憶手段に記憶する工程、
前記記憶された、購入を希望するＯＴＣ医薬品が、予め設定した医薬品分類のいずれに該当するかを、医薬品分類決定手段により、決定する工程、
販売可否判別手段が、前記記憶されたＯＴＣ医薬品の購入履歴情報、及び／又は、前記決定した、過去に購入したＯＴＣ医薬品の医薬品分類と、前記記憶された購入を希望するＯＴＣ医薬品情報、及び／又は、前記決定した、購入を希望するＯＴＣ医薬品の医薬品分類とを照合し、販売可能か否かを判別する工程
を含む、ＯＴＣ医薬品の販売承認方法、
［７］前記［１］のＯＴＣ医薬品の販売承認システムである、ＯＴＣ医薬品自動販売機
により解決することができる。
【発明の効果】
【０００８】
本発明のＯＴＣ医薬品販売承認システムにより、薬剤師や登録販売者等の有資格者でなくても、簡便且つ安全で確実に購入希望者に販売することができる。すなわち、過去の有資格者の管理の基で販売されたＯＴＣ医薬品の購入履歴情報を活用することにより、有資格者の基で購入する場合と同じ条件でＯＴＣ医薬品を購入することが可能であるため、利便性が高い。
【０００９】
また、このＯＴＣ医薬品販売承認システムを自動販売機として設置した場合、さらに利便性は向上する。例えば、駅のホーム等にこの自動販売機を設置した場合、通勤途中の体調不良に迅速に対応することができる。また、薬局の前に設置すれば、薬局の閉店時間においても、ＯＴＣ医薬品を購入することができる。また、過疎地の役所前等へ設置すれば、地域住民の大きな安心となる。
【図面の簡単な説明】
【００１０】
【図１】本発明のＯＴＣ医薬品販売承認システムの全体の流れ（工程１−１〜工程２−４）の内、工程１−１〜工程２−２を示す説明図である。
【図２】本発明のＯＴＣ医薬品販売承認システムの全体の流れ（工程１−１〜工程２−４）の内、工程２−３〜工程２−４を示す説明図である。
【図３】本発明のＯＴＣ医薬品販売承認システムの一態様である自動販売機の外観図を示す。
【図４】本発明のＯＴＣ医薬品販売承認システムとしての自動販売機のＯＴＣ医薬品の購入までの流れを示す説明図である。
【発明を実施するための形態】
【００１１】
本発明のＯＴＣ医薬品販売承認システムを用いて実施する販売承認の全体の流れを、図１〜図３に示す。
【００１２】
図１の工程１−１では、本発明のＯＴＣ医薬品販売承認システムで、ＯＴＣ医薬品の購入希望者が、薬剤師や登録販売者等の有資格者から購入したＯＴＣ医薬品情報を購入履歴として、記憶媒体に記憶する工程を示す。
該記憶媒体は、購入履歴情報を記憶可能であれば制限するものではないが、購入希望者が所有するものが使用でき、更に購入希望者が携帯可能であれば好ましい。具体的には、該有資格者が属するＯＴＣ医薬品販売店で提供しているポイントカードやおくすり手帳等のＯＴＣ医薬品を購入する際に使用する電子媒体や、パスモやスイカ等の鉄道系電子媒体、キャッシュカードやクレジットカード等の汎用性のある電子媒体、ＵＳＢメモリーやＳＤカード等の汎用のメモリーカード、携帯電話、タブレット端末、ノートパソコン等のインターネットに接続可能で、且つ、記憶装置を備えた電子端末等を利用することができる。また、記憶媒体に購入履歴情報を記憶可能とは、直接記憶するだけでなく、間接的に記憶されるものも含まれる。例えば、直接には他のサーバ等に購入履歴情報を記憶し、該記憶媒体にはそれを紐づける暗号を記憶するものである。記憶媒体に直接購入履歴情報が記憶された方が、汎用性が高いので好ましい。
該記憶媒体への購入履歴情報を記憶する方法は、公知の方法が使用できる。
【００１３】
本発明のＯＴＣ医薬品販売承認システムにおける販売承認工程で可能な態様を、図１及び図２の２、並びに図３に示す。工程２−１〜２−４は、ＯＴＣ医薬品の購入希望者が、前記有資格者不在店舗でＯＴＣ医薬品を購入する際の販売承認工程を示す。
【００１４】
工程２−１は、ＯＴＣ医薬品の購入希望者が、希望するＯＴＣ医薬品情報を入力する工程を示す。ＯＴＣ医薬品情報とは、ＯＴＣ医薬品の製品名、分類、該ＯＴＣ医薬品使用者の症状、容量、個数等が挙げられる。入力は、購入者が提示した購入希望製品名をバーコードシステムやキーボードやタッチパネルでの選択等で入力することができる。入力には、選択も含まれ、購入希望製品名は、一部あるいは全部でもよいし、製品写真を選択することでも良い。また、風邪、頭痛、飲みすぎ等、症状を入力して、対応する購入希望製品名を選択することもできる。また、入力は、前記有資格者以外の販売員が行っても良いし、購入希望者が行っても良い。
【００１５】
工程２−２に、入力された製品名から該当するＯＴＣ医薬品の分類により、区分する工程を示す。例えば、大分類として胃腸薬、鎮痛剤、風邪薬、目薬等に分けられ、次の胃腸薬としてその主成分、効能等により細部に分類される。この分類の分け方は、大分類の医薬品の種類等によって細部の分類の度合は異なる。区分けされた区分は記憶される。
【００１６】
工程２−３では、前記記憶媒体から購入履歴情報を読み取る工程及び購入履歴における製品のＯＴＣ医薬品分類を決定する工程を示す。
例えば、購入希望者が提示した記憶媒体中の購入履歴に関する情報を読み取り、次に、購入希望者の購入履歴情報から、工程２−２のＯＴＣ医薬品分類を決定する工程と同様に、該製品が該当する区分に分類し、ＯＴＣ医薬品分類を決定する。購入履歴情報とは、過去に購入したＯＴＣ医薬品の製品名、分類、該ＯＴＣ医薬品使用時の症状、容量、個数、購入年月日等が挙げられる。
【００１７】
なお、分類を決定する工程では、予め保有するＯＴＣ医薬品として販売されている製品が登録された分類別製品一覧と照合することによって、容易に決定することができる。該分類別製品一覧は、前記有資格者等が適宜設定することもできるし、国が定める医薬品の分類に即して適宜設定したものを提供されることもできる。例えば、製品区分により、どの程度の類似品を認めるかについては、有識者等の判断により決定することができる。また、この分類製品一覧は定期的に更新することが好ましい。
【００１８】
本発明においては、希望するＯＴＣ医薬品を入力する工程と、記憶媒体から購入履歴を読み取る工程は、いずれを先に実施してもよく、任意の順序で実施することができる。
【００１９】
工程２−４では、購入希望者の購入希望情報とＯＴＣ医薬品購入履歴情報との照合をする工程及び、照合の結果、購入希望者への販売可否を判定する工程を示す。
購入希望情報とＯＴＣ医薬品購入履歴情報が一致していれば、購入希望者に、希望するＯＴＣ医薬品を販売することができる。例えば、履歴情報の製品と購入希望製品が一致した場合は、過去に薬剤師等で対面販売された製品を購入することができる。一方、購入希望製品と履歴情報の製品と一致しない場合は、前記分類工程で同一分類に属する製品であるか否かを判定し、同一分類に属する製品である場合には、購入希望製品を購入することができる。同一分類に属しない製品である場合には、該購入希望製品を購入することができない。
【００２０】
また、履歴情報の製品と購入希望製品が一致するが、販売店等に該製品が無い場合には、前記分類工程で同一分類に属する製品を勧めることができる。購入希望者は、希望により購入することができる。各販売店等が取り扱う製品はＯＴＣ医薬品メーカー等を指定する必要はなく、汎用性が高い。
【００２１】
判定ロジックは、例えば、予め有識者等により適宜設定することができる。
また、このような判定機構に、購入履歴の期間設定、購入希望者の年齢制限や購入量（容量や個数）制限、購入回数制限、アレルギーの種類や有無、等を付加することもできる。当業者であれば、適宜、判定ロジックに組み込むことができる。
【００２２】
本発明で利用可能なＯＴＣ医薬品としてはＯＴＣ医薬品として国で定められている医薬品、また、薬局で販売されている全てのＯＴＣ医薬品を対象とすることができる。安全性が低い等の前記有資格者以外からの購入が不適切なＯＴＣ医薬品については、適宜、除外されることができる。
【００２３】
本発明を利用する購入希望者は、薬局等で有資格者からＯＴＣ医薬品を購入した履歴があり、その履歴が入力された記憶媒体を有することが好ましい。更に、記憶媒体は、携帯できるものが利便性が高く好ましい。例えば、該記憶媒体に、購入履歴情報が入力されているだけでなく、携帯可能な記憶媒体の外（例えばサーバ等）に購入履歴情報が格納され、予め設定されたＩＤ等と照合することにより、該履歴情報を読み込むことも含まれる。
また、購入履歴のない購入希望者が、有資格者以外から購入することを希望する場合には、予め薬剤師等の有資格者がいる薬局等で相談し、適切なＯＴＣ医薬品を事前登録するサービスを受ける事もできる。
【００２４】
本発明の使用者（ＯＴＣ医薬品の販売者等）は、本発明のシステムに基づき、ＯＴＣ医薬品の在庫管理を適切に実施できる店舗等であれば、店員の知識、経験によらず使用できる。すなわち、非有資格者であっても、簡便かつ安全にＯＴＣ医薬品を販売することができる。
【００２５】
本発明の使用場所（ＯＴＣ医薬品の販売場所）の第一の態様として、本発明のシステムを用いて、購入希望者が販売者と対面してＯＴＣ医薬品を購入する場合（例えば、薬局やコンビニエンスストア等の店舗内で使用される場合）には、いずれの場所で使用されることも可能であるが、該店舗の会計付近で本システムを使用可能であることが望ましい。例えば、購入希望者が他の商品と一緒に会計する際に、併せて承認を得て会計することが可能であるため、購入希望者及び販売者の両方で簡便である。また、会計システム（レジ）と連動させることも可能である。これにより、更に簡便で有用となる。また、ＯＴＣ医薬品の販売時に前記有資格者が居ても居なくても構わないが、本システムにより、該有資格者が居なくても、簡便かつ安全にＯＴＣ医薬品を販売することができるので、有用性が高い。
【００２６】
また、本発明の使用場所の第二の態様として、本発明のシステムを用いて、購入希望者が販売者と対面せずにＯＴＣ医薬品を購入する場合（例えば、薬局やコンビニエンスストア等の店舗内であるが前記有資格者が不在の場合、または、該店舗外で販売員が居ない場合（すなわち、販売者が人でない場合））には、いずれの場所で使用されることも可能であるが、ＯＴＣ医薬品を購入可能な装置で本システムを使用可能であることが望ましい。該ＯＴＣ医薬品を購入可能な装置としては、ＯＴＣ医薬品を搭載する自動販売機等が挙げられる。
【００２７】
また、本発明の使用場所の第三の態様として、本発明のシステムを用いて、購入希望者がインターネット上でＯＴＣ医薬品を購入する場合、購入希望者の購入履歴情報、及び、購入を希望する医薬品情報を取得し、両情報を照合し、販売可能か否かが判別可能な環境があれば良い。例えば、購入履歴情報を記憶した記憶媒体から、それに記憶された購入履歴情報を読み取り、当該情報をインターネットを介して特定のサーバーへ伝達可能な端末を利用できる環境があれば、いずれの場所で使用されることが可能である。例えば、記憶媒体としてＵＳＢメモリーやＳＤカード等の汎用のメモリーカードを使用し、インターネットに接続した電子端末またはカードリーダーにより購入履歴情報を読み取ることができる。読み取られた当該情報は、インターネットを介して、特定のサーバーに送られ、そこに記憶される。前記サーバーには、同端末から入力された、購入を希望するＯＴＣ医薬品情報も伝達・記憶され、購入履歴情報と、購入を希望するＯＴＣ医薬品情報とを照合し、販売可能か否かが判別される。本態様では、実際にＯＴＣ医薬品を入手するまでにタイムラグが生じるが、店舗販売よりも多くの品揃えが可能であり、簡便かつ安全に取引可能であるため、その点でメリットがある。
【００２８】
本発明のＯＴＣ医薬品販売承認システムは、
ＯＴＣ医薬品購入希望者が有するＯＴＣ医薬品の購入履歴情報を記憶した記憶媒体から、前記購入履歴情報を読み取り記憶する手段、
前記購入希望者が購入を希望するＯＴＣ医薬品情報を入力する手段、
前記入力手段から入力したＯＴＣ医薬品情報を記憶する手段、
前記記憶されたＯＴＣ医薬品の購入履歴情報と、前記記憶された購入を希望するＯＴＣ医薬品情報とを照合し、販売可能か否かを判別する手段、
を有する。各々の手段は、前記の本発明のＯＴＣ医薬品販売承認システムで説明した各工程を実施することができ、その理解には本発明のＯＴＣ医薬品販売承認システム全体の先の説明を参照することができる。非有資格者であっても、簡便かつ安全にＯＴＣ医薬品を販売可能であるため好ましい。
【００２９】
また、本発明のＯＴＣ医薬品販売承認システムは、ＯＴＣ医薬品の自動販売機として設置することにより、更にその有用性を高めることができる。例えば駅構内や、薬局の前、公共施設に設置された場合、通勤、夜間等今までに購入することができなかった時間や場所でＯＴＣ医薬品が購入可能であり、緊急時や有資格者の勤務を確保することが難しい地域では、特に簡便且つ安全に購入することができるので好ましい。また温度管理、在庫管理も適切に実施することができるので、自動販売機の管理者が非有資格者でなくとも、容易に運営することができる。
このようなシステムにより、購入希望者が必要な時に必要なＯＴＣ医薬品を簡便且つ安全に購入することができる。また、経営者や運営者は、目的に応じて薬剤師や登録販売者等の有資格者を雇用したり配置したりすることが可能となり、経済的にも優れている。
【００３０】
本発明において、購入できる製品はＯＴＣの医薬品であり、医薬品として承認されているＯＴＣ医薬品である。このため、製品の製造は製薬会社が行い、供給する。但し、追加的な機能として、医療器具、栄養ドリンク、健康食品等のヘルスケア的な製品も販売することができる。その際は、ＯＴＣ医薬品販売承認システムでの判定は実施しない。
また、ＯＴＣ医薬品を服用する際に利用する飲料水（あるいは飲料水と同等の製品）を併せて提供することが好ましい。特に、本発明の自動販売機において、ＯＴＣ医薬品と一緒に提供されることにより、近くに飲料水が無い場合でも支障無く該ＯＴＣ医薬品を服用することができえる。該飲料水は、販売されても無償で提供されても良い。
【００３１】
本発明で販売されるＯＴＣ医薬品は、マーケティング調査を実施し、販売製品を決定することが好ましい。その際、設置場所を配慮し、販売されるＯＴＣ医薬品の種類、使用回数等も決定される。特に本発明の自動販売機を利用する場合には、一度に販売可能なＯＴＣ医薬の種類や量が限られるため、好ましい。
例えば、駅中に本発明の自動販売機を設置する場合は、購入者は自宅に同様な医薬品はあるが携帯していないため、購入を希望するといったことも配慮し、使用回数の少ない小包装（例えば、１〜３回分）のＯＴＣ薬でかつ通勤・通学中や旅行先等で要望されるＯＴＣ製品が挙げられる。例えば通勤・通学中であれば、ビタミン剤、かぜ薬、鎮咳去たん薬、口腔咽喉薬、整腸薬、下痢止め薬、胃腸薬、解熱鎮痛薬、点眼薬、旅行先であれば、通勤・通学中に加え、乗り物酔い止め、保湿クリーム、日焼け止め、冷却シート、絆創膏、消毒薬、虫刺され用クリーム等を選択することができる。
【００３２】
購入希望者は一般には制限しないが、薬の内容によっては属性情報を利用して制限することができる。該属性情報は、記憶媒体（例えばＩＣカード等）に記憶されているものが挙げられ、氏名、年齢、性別が挙げられる。その他、特記情報として、アレルギー情報の有無や種類も制限要因として使用可能である。
【００３３】
本発明のシステム及び自動販売機の管理者は、ＯＴＣの医薬品を管理するということから、医薬販売関係の者から選択することが望ましい。専用の記憶媒体（例えばＩＣカード）を作成し、該記憶媒体の管理がこのシステム及び自動販売機の管理者であるといったことも想定できる。
【００３４】
本発明のシステム及び自動販売機の設置場所は特に限定されないが、駅、空港、公共施設、薬局前等が望ましい。
【００３５】
本発明で販売されるＯＴＣ製品のデリバリーは、医薬品の卸売販売業を持った者もしくはその代行者が望ましい。通信機能があり、在庫管理システムが搭載されている場合には、製品の不足の連絡があった場合の製品が追加供給される。薬局等の場合は、二次的に薬局が管理し、定期的に補充することもできる。
【実施例】
【００３６】
以下、実施例によって本発明を具体的に説明するが、これらは本発明の範囲を限定するものではない。
【００３７】
《実施例１：自動販売機型のＯＴＣ医薬品販売承認システム》
《１−１．ＯＴＣ医薬品自動販売機概要》
図３に、本発明のＯＴＣ医薬品販売承認システムの一態様である自動販売機の外観を示す。
（１）は、製品ディスプレイを示す。このディスプレイ内にはＯＴＣ医薬品の製品または製品をイメージする写真、パッケージが陳列される。各製品は分類されて表示される。
例えば、効能別に胃腸薬、鎮痛剤、風邪薬、目薬等といった分類が示される。各分類毎に分類分けされており、区分けのＮｏ．または名称が表示されている。
（２）は、各種製品ディスプレイを示す。このディスプレイにはある分類区分の製品またはイメージ写真、パッケージが陳列される。区分の中の薬として数種類ある場合は、この自動販売機で購入可能な製品パッケージ数種類分を陳列することができる。また、「どのような症状の場合が購入対象者であるか？」等の説明が表示されてもよい。
（３）は、種別選択Ｎｏ．表示、あるいはボタンを示す。購入者がこの分類製品を購入する際、分類を指定する意味で使用する。
（４）は、操作指示画面兼入力画面を示す。例えば、タッチパネル機能をもった液晶画面が使用され、画面の指示に従い、購入者が選択入力する。
（５）は、料金投入口を示す。購入製品の金額を投入し、支払いを実施する。
（６）は、ＩＣカード等の接触面を示す。必ずしもＩＣカードに限定されず、過去の薬局等管理された店舗で購入したＯＴＣ医薬品の購入履歴が記憶されている電子媒体をこの接触面あるいは電子媒体の読取りが可能なユニットにより、記憶情報を読み込む。読み込んだ過去のＯＴＣ製品履歴情報により、今回購入するＯＴＣ製品または同等品が購入できるか否かが判定される。
（７）は、購入の承認を受けた製品の取り出し口を示す。
【００３８】
《１−２．ＯＴＣ医薬品自動販売機仕様》
ＯＴＣ医薬品自動販売機の仕様は  基本的な１００Ｖの電源が望まれる。装置の設置場所は、駅のホーム、駅の待合室、薬局の前、コンビニエンスストア、公共施設、繁華街等、電源が確保でき、購入者が購入しやすい場所であれば、特に場所を選ばない。装置には販売しているＯＴＣ薬の保存条件を満たす温度調整機構が搭載されている。一般の自動販売機と同様、盗難防止機構、防水機構も搭載されている。装置の大きさは、据え置き型でもよいし、ＯＴＣ医薬品の取り扱い数を限定することにより、小型な装置とすることができる。また、本装置の管理者への通信機能を持ち、製品在庫の管理、顧客の緊急な問合せにも対応できるよう配慮することもできる。
【００３９】
《１−３．ＯＴＣ医薬品購入履歴の記憶媒体》
ＯＴＣ医薬品販売承認システムに使用する過去のＯＴＣ製品購入履歴の記憶媒体としては、薬局で発行されるポイントカード、電子おくすり手帳、汎用電子媒体であるクレジットカード、パスモ、スイカ等、薬局の購入履歴が入力可能な電子媒体が使用される。これらの電子記憶媒体には基本的に個人の属性に絡む情報もあり、行政の規制や薬の種類によっては、年齢、性別、氏名も利用することがある。以下の操作フローでは、ＩＣカードを使用する。
【００４０】
《１−４．ＯＴＣ医薬品自動販売機の操作フロー》
図４に、ＯＴＣ医薬品自動販売機の操作フローを示す。
１−１：購入者は自動販売機の前に立ち、操作画面を見る。操作画面にはスタートボタンが表示されている。
１−２：購入者はスタートボタンを押す
１−３：操作画面には購入希望する種別が列挙される。具体的に言えば、胃腸薬、鎮痛剤風邪薬、目薬といった分類から自分の症状にあった薬を選択する。
１−４：操作画面には、分類の番号、または名称が表示される。
１−５：購入者は分類の番号、または名称を選択する。
１−６：装置に対応可能なカードが表示され、ＩＣカードを接触画面に接触させる指示が表示される。
１−７：購入者はＩＣカードをＩＣカード接触画面に接触させる。この作業によって、ＩＣカードに記憶されているＯＴＣ製品の購入履歴情報が読み込まれ、装置に搭載されているＯＴＣ医薬品販売承認システムのプログラムにより、購入の是非が判定される。
【００４１】
２−１：過去の購入履歴により、同一製品および/または成分的な同等性が確認されれば２−２の如く、料金が表示され、ＯＴＣ製品が購入できる。
３−１のようにまったく、同一製品および/または成分的な同等性が確認できない場合は購入できないこととなり、終了となる。
【産業上の利用可能性】
【００４２】
本発明は、ＯＴＣ医薬品を簡便且つ安全に販売することが可能であり、購入者及び販売者にとって利便性が高い仕組みや市場を提供することができる。
【符号の説明】
【００４３】
１・・・製品ディスプレイ；２・・・各種製品ディスプレイ；
３・・・種別選択Ｎｏ．表示；４・・・操作指示画面兼入力画面；
５・・・料金投入口；６・・・ＩＣカード接触面；７・・・製品取り出し口。
【図１】
2015087951.tif 000003
【図２】
2015087951.tif 000004
【図３】
2015087951.tif 000005
【図４】
2015087951.tif 000006